(57)【要約】【課題】効率的にユーザーの利便性を向上させた画像形成装置を提供する。【解決手段】複合機１１は、画像形成部１５と、排出トレイ３０と、第一のステープル機構４２と、第二のステープル機構５１と、電流供給部４９と、制御部１２とを備える。電流供給部４９は、第二のステープル機構５１によるステープル処理を行うための電流を供給する。制御部１２は、電流供給部４９による電流の供給状況に基づいて、第二のステープル機構５１の動作を制御する。【選択図】図２
2016210557.tif 000002
【特許請求の範囲】
【請求項１】
用紙に画像を形成する画像形成部と、
前記画像形成部により画像が形成された用紙が排出される排出トレイと、
前記排出トレイに排出される用紙に対してステープル処理を行う第一のステープル機構と、
前記第一のステープル機構と別途設けられており、前記画像形成部による画像形成の動作および前記第一のステープル機構によるステープル処理に関わらず、用紙に対してステープル処理を行うことが可能な第二のステープル機構と、
前記第二のステープル機構によるステープル処理を行うための電流を供給する電流供給部と、
前記電流供給部による電流の供給状況に基づいて、前記第二のステープル機構の動作を制御する制御部とを備える、画像形成装置。
【請求項２】
前記電流供給部による電流の供給状況に基づいて、前記第二のステープル機構によるステープル処理が前回行われた前回時間を記憶する記憶部を備え、
前記制御部は、前記第二のステープル機構によるステープル処理を行う際に、前記記憶部に記憶された前記前回時間から所定時間を経過していなければ、前記所定時間を経過するまで待機して前記第二のステープル機構を作動させるよう制御する、請求項１に記載の画像形成装置。
【請求項３】
前記制御部は、前記電流供給部による電流の供給状況に基づいて、前記電流供給部による電流の供給が前記第二のステープル機構のステープル処理の作動に伴う電流の供給か、前記第二のステープル機構を作動させる際に生じたエラーに伴う電流の供給かを判別する判別部を含む、請求項１または２に記載の画像形成装置。
【請求項４】
前記制御部は、前記判別部によりエラーに伴う電流の供給であると判別されれば、エラーである旨の報知を行うエラー報知部を含む、請求項３に記載の画像形成装置。
【請求項５】
前記制御部は、前記第二のステープル機構によるステープル処理の回数を前記記憶部に記憶させるよう制御する、請求項１〜４のいずれか１項に記載の画像形成装置。
【請求項６】
前記制御部は、前記記憶部により記憶された前記第二のステープル機構によるステープル処理の回数に基づいて、前記第二のステープル機構における針の補充時期を報知する針補充時期報知部を含む、請求項５に記載の画像形成装置。
【発明の詳細な説明】
【技術分野】
【０００１】
この発明は、画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に現像剤を供給して可視画像とした後、用紙に転写して定着させ、装置外に排出する。
【０００３】
画像形成装置には、後処理の一環として、装置外に用紙を排出する際に複数の用紙の端部を揃えて綴じるステープル機構を備えるものがある。ステープル機構を備える画像形成装置が、特開平６−１１５２７６号公報（特許文献１）、および特開２０１３−１７００６５号公報（特許文献２）に開示されている。
【先行技術文献】
【特許文献】
【０００４】
【特許文献１】特開平６−１１５２７６号公報
【特許文献２】特開２０１３−１７００６５号公報
【発明の概要】
【発明が解決しようとする課題】
【０００５】
画像形成装置において、ステープル機構が二つ設けられているものがある。第一のステープル機構は、後処理装置に取り付けられ、画像形成装置本体において画像が形成された用紙が当該本体から後処理装置に送り込まれ、後処理装置において後処理としてステープル処理を行うために設けられる。第二のステープル機構は、画像形成装置による画像形成に関わらず、用紙に対しステープル処理を行うものである。第二のステープル機構については、例えば、操作の容易性の観点から、用紙挿入口への用紙の挿入を契機として、ステープル処理を行う。
【０００６】
このような第二のステープル機構については、ユーザーの利便性を考慮すると、画像形成装置における画像形成の状況に関わらず、ユーザーの要求するタイミングでステープル処理ができることが望ましい。すなわち、ユーザーは、第二のステープル機構を用いたステープル処理については、画像形成装置における画像形成のタイミングや第一のステープル機構によるステープル処理の有無に関わらず、ステープル処理を行うことができることが好ましい。
【０００７】
ここで、第二のステープル機構については、上記したように用紙挿入口に用紙が挿入されたことを契機としてステープル処理が行われる場合がある。このため、ユーザーが慌ててステープル処理を行おうとした場合等、二度続けて用紙を挿入口に挿入することがあった場合、針によって二度綴じられるおそれがある。この場合、同じ箇所へのステープル処理となると、針が無駄になるばかりか、用紙が破損するおそれがあり、好ましくない。このような場合に、上記した特許文献１〜特許文献２に開示の技術では、対応することができない。
【０００８】
この発明の目的は、効率的にユーザーの利便性を向上させた画像形成装置を提供することである。
【課題を解決するための手段】
【０００９】
この発明の一の局面においては、画像形成装置は、画像形成部と、排出トレイと、第一のステープル機構と、第二のステープル機構と、電流供給部と、制御部とを備える。画像形成部は、用紙に画像を形成する。排出トレイは、画像形成部により画像が形成された用紙が排出される。第一のステープル機構は、排出トレイに排出される用紙に対してステープル処理を行う。第二のステープル機構は、第一のステープル機構と別途設けられている。第二のステープル機構は、画像形成部による画像形成の動作および第一のステープル機構によるステープル処理に関わらず、用紙に対してステープル処理を行うことが可能である。電流供給部は、第二のステープル機構によるステープル処理を行うための電流を供給する。制御部は、電流供給部による電流の供給状況に基づいて、第二のステープル機構の動作を制御する。
【発明の効果】
【００１０】
この発明の画像形成装置によると、第一のステープル機構と第二のステープル機構とが備えられており、制御部により、電流供給部による電流の供給状況に基づいて、第二のステープル機構の動作を制御している。したがって、効率的にユーザーの利便性を向上させることができる。
【図面の簡単な説明】
【００１１】
【図１】この発明の一実施形態に係る画像形成装置を複合機に適用した場合の複合機の外観を示す図である。
【図２】この発明の一実施形態に係る画像形成装置を複合機に適用した場合の複合機の構成を示すブロック図である。
【図３】複合機に含まれる制御部の構成を示すブロック図である。
【図４】操作部の構成を示す外観図である。
【図５】第二のステープル機構の構成を示す図である。
【図６】第二のステープル機構５１によりステープル処理が行われた場合の電流と時間との関係を示すグラフである。
【図７】この発明の一実施形態に係る複合機を用いて第二のステープル機構によりステープル処理を行う場合の処理の流れを示すフローチャートである。
【図８】操作部の表示画面の一例を示す図である。
【図９】第二のステープル機構においてモーターが拘束された場合の電流と時間との関係を示すグラフである。
【図１０】複数枚の用紙に対して、第二のステープル機構によりステープル処理が行われた場合の電流と時間との関係を示すグラフである。
【発明を実施するための形態】
【００１２】
以下、この発明の実施の形態を説明する。図１は、この発明の一実施形態に係る画像形成装置を複合機に適用した場合の複合機の外観を示す図である。図２は、この発明の一実施形態に係る画像形成装置を複合機に適用した場合の複合機の構成を示すブロック図である。
【００１３】
図１〜図２を参照して、この発明の一実施形態に係る画像形成装置としての複合機１１は、制御部１２と、操作部１３と、画像読み取り部１４と、画像形成部１５と、後処理装置４１と、データを記憶する記憶部としてのハードディスク１６と、ファクシミリ通信部１７と、ネットワーク２５と接続するためのネットワークインターフェース部１８とを備える。
【００１４】
制御部１２は、複合機１１全体の制御を行う。操作部１３は、複合機１１側から発信する情報やユーザーの入力内容を表示する表示画面２１を含む。操作部１３は、ユーザーに印刷部数や階調等の画像形成の条件や電源のオンまたはオフを入力させる。画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や不図示の載置台上に載置された原稿の画像を読み取る。用紙セット部１９は、手差しで記録媒体としての用紙Ｐをセットする手差しトレイ２８やサイズの異なる複数枚の用紙を収納可能な給紙カセット群２９を含む。用紙セット部１９は、画像形成部１５に供給する用紙をセットさせる。画像形成部１５は、トナーによる可視画像を形成する現像装置２０を含む。画像形成部１５は、読み取った画像やネットワーク２５を介して送信された画像データを基に画像を形成する。すなわち、画像形成部１５は、受け付けられた画像形成の要求に応じ、画像データを基に記録媒体、例えば、用紙セット部１９にセットされて画像形成部１５に向けて搬送される用紙上に画像を形成する。画像形成部１５により画像を形成された用紙は、必要に応じて後処理装置４１によって後処理を施された後、後処理装置４１の排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１５】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１６】
複合機１１は、画像読み取り部１４により読み取られた原稿を用いて画像形成部１５において画像を形成し、用紙Ｐに印刷することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成し、用紙Ｐに印刷することにより、プリンターとして作動する。すなわち、画像形成部１５は、要求された画像を印刷する印刷部として作動する。また、複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、複合機１１は、画像処理に関し、複写機能、プリンター機能、ファクシミリ機能等、複数の機能を有する。さらに、各機能に対しても、詳細に設定可能な機能を有する。
【００１７】
複合機１１を含む画像形成システム２７は、複合機１１と、複数のコンピューター２６ａ、２６ｂ、２６ｃとを備える。具体的には、画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機やサーバーが接続されている構成でもよい。
【００１８】
次に、制御部１２の構成について説明する。図３は、制御部１２の構成を示すブロック図である。図３を参照して、制御部１２は、判別部４３と、エラー報知部４４と、針補充時期報知部４５と、タイマー４６とを含む。判別部４３は、後述する電流供給部４９による電流の供給状況に基づいて、電流供給部４９による電流の供給が後述する第二のステープル機構５１のステープル処理の作動に伴う電流の供給か、第二のステープル機構５１を作動させる際に生じたエラーに伴う電流の供給かを判別する。エラー報知部４４は、判別部４３によりエラーに伴う電流の供給であると判別されれば、エラーである旨の報知を行う。針補充時期報知部４５は、ハードディスク１６により記憶された第二のステープル機構５１によるステープル処理の回数に基づいて、第二のステープル機構５１における針の補充時期を報知する。タイマー４６は、時間を計測する。タイマー４６は、種々の時間を計測する他、第二のステープル機構５１が作動した時間等を計測するために用いられる。
【００１９】
次に、上記した操作部１３の構成について、さらに詳細に説明する。図４は、操作部１３の概略的な構成を示す外観図である。図４を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２０】
複合機１１は、画像が形成された用紙にパンチ処理やステープル処理といった後処理を施す後処理装置４１を備える。後処理装置４１は、画像が形成された用紙を複数枚重ね、端部を針で綴じる第一のステープル機構４２（図２参照）を含む。第一のステープル機構４２は、複合機１１側からの電流の供給により作動する。第一のステープル機構４２は、画像形成部１５により画像が形成された用紙に対し、ステープル処理を行う。後処理として第一のステープル機構４２によりステープル処理が行われた後に、用紙は、排出トレイ３０に排出される。
【００２１】
また、複合機１１は、画像形成部１５によって形成された用紙であるか否かに関わらず、用紙にステープル処理を行う第二のステープル機構５１（図１および図２参照）を備える。第二のステープル機構５１は、第一のステープル機構４２とは別途設けられている。
【００２２】
図５は、第二のステープル機構５１の構成を示す斜視図である。図１〜図５を参照して、第二のステープル機構５１は、操作部１３の側部に設けられている。第二のステープル機構５１には、上方部５３と下方部５４との間に用紙Ｐを挿入させる用紙挿入口５５が設けられている。第二のステープル機構５１は、用紙挿入口５５に用紙が挿入されたことを検知する用紙検知部５２を含む。用紙検知部５２は、用紙挿入口５５の奥に設けられている。
【００２３】
ユーザーは、用紙挿入口５５に対して、矢印Ｄ１で示す方向に用紙Ｐを挿入する。この場合、ユーザーの要求する針で綴じる部分が奥側となるように、用紙挿入口５５に用紙Ｐを挿入する。用紙検知部５２によって用紙Ｐの挿入を検知すると、制御部１２による制御に基づいて、第二のステープル機構５１はステープル処理を行おうとする。すなわち、第二のステープル機構５１は挿入された複数枚の用紙Ｐを針で綴じようとする。この場合、制御部１２による制御に基づいて、第二のステープル機構５１に電流を供給して不図示のモーターを回転させて、ステープル処理を行う。なお、複合機１１は、第二のステープル機構５１に対して、第二のステープル機構５１によるステープル処理を行うための電流を供給する電流供給部４９を備える。
【００２４】
図６は、第二のステープル機構５１によりステープル処理が行われた場合の電流と時間との関係を示すグラフである。図６において、縦軸は、第二のステープル機構５１に供給される電流値を示し、横軸は、経過時間を示す。線６１が、制御部１２によって監視されている時間の経過と共に増減する電流の供給状態を示す。上方向および右方向に向かうほど、電流値および時間がそれぞれ増加するものである。
【００２５】
図６を参照して、用紙Ｐの挿入を検知すると、ステープル処理を行う。この場合、第一の時間帯６２において、大きくピークが表れるように電流が供給される。その後、第二の時間帯６３に達すると、供給される電流は、徐々に増減を繰り返しながら減少する。第二の時間帯６３が経過した後に正常にステープル処理が終了すると、供給される電流は０となる。第二のステープル機構５１による正常なステープル処理の際には、このような供給電流と時間との関係が制御部１２によって監視される。
【００２６】
なお、ハードディスク１６には、前回の第二のステープル機構５１によるステープル処理が行われた時間が記憶されている。制御部１２は、第二のステープル機構５１により前回ステープル処理を行った前回時間を記憶させるように、ハードディスク１６を制御する。
【００２７】
次に、この複合機１１を用いて第二のステープル機構５１により用紙Ｐのステープル処理を行う場合について説明する。図７は、この発明の一実施形態に係る複合機１１を用いて第二のステープル機構５１によりステープル処理を行う場合の処理の流れを示すフローチャートである。
【００２８】
図１〜図７を参照して、ユーザーは、ステープル処理を行いたい用紙Ｐを準備する。そして、用紙Ｐを携えて、複合機１１が設置されている箇所に赴く。その後、第二のステープル機構５１により用紙Ｐのステープル処理を行おうとする。
【００２９】
具体的には、複数枚の用紙Ｐの端部を用紙挿入口５５に挿入する。そうすると、用紙検知部５２は、用紙Ｐの挿入を検知する（図７において、ステップＳ１１、以下、「ステップ」を省略する）。
【００３０】
次に、制御部１２は、用紙検知部５２により用紙Ｐを検知した時間が、前回時間から所定時間経過しているか否かを判断する（Ｓ１２）。すなわち、用紙検知部５２により用紙Ｐを検知した時間が、ハードディスク１６に記憶された前回の第二のステープル機構５１によるステープル処理の時間から、所定時間経過しているか否かを判断する。
【００３１】
所定時間経過していないと判断されれば（Ｓ１２において、ＮＯ）、所定時間を経過するまで待機して第二のステープル機構５１を作動させる（Ｓ１３）。すなわち、所定時間を経過後、電流供給部４９により第二のステープル機構５１に電流を供給して、ステープル処理を行う。
【００３２】
一方、所定時間経過していると判断されれば（Ｓ１２において、ＹＥＳ）、即時に電流供給部４９により第二のステープル機構５１に電流を供給して、ステープル処理を行う（Ｓ１４）。
【００３３】
このような構成の複合機１１によると、第一および第二のステープル機構４２、５１を備えるため、ユーザーは、複合機１１の作動状況に関わらず、ステープル処理を行うことができる。この場合、制御部１２により、電流供給部４９による電流の供給状況に基づいて、第二のステープル機構５１の動作を制御している。具体的には、第二のステープル機構５１によるステープル処理を行う際に、同じ用紙に対して連続してステープル処理を行うおそれを大きく低減することができる。したがって、効率的にユーザーの利便性を向上することができる。
【００３４】
なお、上記の実施の形態において、所定時間経過していないと判断されれば、即時にステープル処理を行わない旨を報知するよう構成してもよい。図８は、この場合の操作部１３の表示画面２１の一例を示す図である。
【００３５】
図８を参照して、操作部１３の表示画面２１には、「前回の作動から所定時間経過していません。しばらくお待ちください。」とのメッセージ７１と、「確認」と表記されたキー７２とが表示されている。所定時間を経過するまで待機して第二のステープル機構５１を作動させる場合、このような表示画面２１を表示することにより、ユーザーに現在の状況を把握させることができる。この場合、表示画面２１による表示と共に、音声による報知を行ってもよい。もちろん、音声のみにより報知することにしてもよい。
【００３６】
ここで、第二のステープル機構５１において、ステープル処理は、電流供給部４９による電流の供給により不図示のモーターを回転させて行う。しかし、何らかの要因によりモーターが拘束された場合には、ステープル処理を行うことができず、エラーとなる。この場合、供給される電流と時間との関係は、以下のようになる。ここで、第二のステープル機構５１におけるステープル処理を行う際に回転するモーターが拘束された場合においては、以下のように構成してもよい。
【００３７】
図９は、第二のステープル機構５１においてモーターが拘束された場合の電流と時間との関係を示すグラフである。線６６が、制御部１２によって監視されている時間の経過と共に増減する電源供給部４９から第二のステープル機構５１に供給される電流の供給状態を示す。縦軸および横軸については、図５の場合と同様である。
【００３８】
図９を参照して、用紙Ｐの挿入を検知すると、第一の時間帯６７において、大きく電流が供給される。この点については、図５に示す場合と同様である。その後、モーターが拘束されると、第二の時間帯６８において、供給される電流が一旦は減りつつも、大きくなっていく。この大きくなった電流を制御部１２は監視して、判別部４３は、ステープル処理が行われず、モーターが拘束されている状態であると判別する。針が詰まった場合も同様である。
【００３９】
制御部１２がこのような電流の状態を検知した場合、制御部１２は電源供給部４９から第二のステープル機構５１に供給される電流の供給を停止する。こうすることにより、無駄な電流の供給を回避することができる。また、この場合、エラー状態であることを表示画面２１等によって表示することにより、エラー状態である旨をユーザー等に報知することができる。すなわち、判別部４３によりエラーに伴う電流の供給であると判別されれば、エラー報知部４４がエラーである旨の報知を行うよう構成してもよい。また、押下によりエラーを解除できるキーやボタンを設けることとしてもよい。
【００４０】
なお、上記の実施の形態において、電流の供給状態と、ステープル処理される用紙Ｐの枚数については、以下の関係がある。図１０は、複数枚の用紙に対して、第二のステープル機構５１によりステープル処理が行われた場合の電源供給部４９から第二のステープル機構５１に供給される電流と時間との関係を示すグラフである。線６１、６４、６５がそれぞれ、制御部１２によって監視されている時間の経過と共に増減する電流の供給状態を示す。線６４は、用紙Ｐの枚数が線６１の場合よりも多い場合を示し、線６５は、用紙Ｐの枚数が線６４の場合よりも多い場合を示す。線６４、６５については、一部のみ、具体的には、第二の時間帯６３の場合のみを図示している。縦軸および横軸については、図５および図９の場合と同様である。
【００４１】
図１０を参照して、第二のステープル機構５１によるステープル処理を行う用紙Ｐの枚数が多くなるにつれ、第二の時間帯６３における電流の供給量が多くなる。したがって、制御部１２は、この第二の時間帯６３における電流の供給量を監視して、ステープル処理を行う枚数が規定枚数よりも多いか少ないかを判断し、規定枚数よりも多ければ、その旨を報知して警告するよう構成してもよい。
【００４２】
なお、上記の実施の形態において、ハードディスク１６に、第二のステープル機構５１によるステープル処理の回数を記憶させるよう構成してもよい。こうすることにより、あと何回ステープル処理を行うことができるかを把握することができ、これを報知することもできる。また、針の補充時期を報知することもできる。具体的には、予め第二のステープル機構５１にセットされた針の数からステープル処理が正常に行われた回数を差し引いた値が、針の残数となる。したがって、複合機１１は、針の残数を根拠として、第二のステープル機構５１における針の補充時期を報知する針補充時期報知部４５を備えるよう構成してもよい。
【００４３】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る画像形成装置は、効率的にユーザーの利便性が要求される場合に、特に有効に利用される。
【符号の説明】
【００４５】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２０  現像装置、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  テンキー、３２  スタートキー、３３  電源キー、３４  メニューキー、３５  登録キー、３６  リセットキー、４１  後処理装置、４２，５１  ステープル機構、４３  判別部、４４  エラー報知部、４５  針補充時期報知部、４６  タイマー、４９  電流供給部、５２  用紙検知部、５３  上方部、５４  下方部、５５  用紙挿入口、６１，６４，６５，６６  線、６２，６３，６７，６８  時間帯、７１  メッセージ、７２  キー。
【図１】
2016210557.tif 000003
【図２】
2016210557.tif 000004
【図３】
2016210557.tif 000005
【図４】
2016210557.tif 000006
【図５】
2016210557.tif 000007
【図６】
2016210557.tif 000008
【図７】
2016210557.tif 000009
【図８】
2016210557.tif 000010
【図９】
2016210557.tif 000011
【図１０】
2016210557.tif 000012